(57)【要約】【課題】通常洗浄コースと節水洗浄コースとを適切に活用できる洗浄機を提供する。【解決手段】本発明は、被洗浄物が収容されると共に被洗浄物の洗浄及び濯ぎが行われる洗浄室３を備える洗浄機１において、洗浄室３内に洗浄タンク４から洗浄水を供給することで被洗浄物の洗浄を行う洗浄工程と洗浄室３内に濯ぎ水を供給することで被洗浄物の濯ぎを行う濯ぎ工程と洗浄室３から洗浄タンク４内に回収された濯ぎ水を排水する濯ぎ水排水工程とを行う通常洗浄コースＣ１と、洗浄工程及び濯ぎ工程を行うと共に洗浄室３から洗浄タンク４内に回収された濯ぎ水を次回の洗浄工程の洗浄水として用いる節水洗浄コースＣ２と、のうちいずれか一方のコースを実行するマイコン２１を備え、マイコン２１は、節水洗浄コースＣ２の次に通常洗浄コースＣ１を実行する場合において洗浄工程を行う前に洗浄タンク４内の水を排水させる機能を有する。【選択図】図１
2011177423.tif 000002
【特許請求の範囲】
【請求項１】
被洗浄物が収容されると共に前記被洗浄物の洗浄及び濯ぎが行われる洗浄室を備える洗浄機において、
前記洗浄室内にタンクから洗浄水を供給することで前記被洗浄物の洗浄を行う洗浄工程と前記洗浄室内に濯ぎ水を供給することで前記被洗浄物の濯ぎを行う濯ぎ工程と前記洗浄室から前記タンク内に回収された濯ぎ水を排水する濯ぎ水排水工程とを行う通常洗浄コースと、前記洗浄工程及び前記濯ぎ工程を行うと共に前記洗浄室から前記タンク内に回収された濯ぎ水を次回の前記洗浄工程の洗浄水として用いる節水洗浄コースと、のうちいずれか一方のコースを実行する制御手段を備え、
前記制御手段は、前記節水洗浄コースの次に前記通常洗浄コースを実行する場合において前記洗浄工程を行う前に前記タンク内の水を排水させる排水手段を有することを特徴とする洗浄機。
【請求項２】
前記制御手段は、前記通常洗浄コースにおいて、洗剤を混ぜた洗浄水により前記被洗浄物の洗浄を行う前に、所定温度の洗浄水により前記被洗浄物の予備洗浄を行う予備洗浄手段を有することを特徴とする請求項１に記載の洗浄機。
【発明の詳細な説明】
【技術分野】
【０００１】
本発明は、複数の洗浄コースを有する洗浄機に関する。
【背景技術】
【０００２】
従来、このような分野の技術文献として、特開２００２−１０２１３７号公報がある。特開２００２−１０２１３７号公報に記載された食器洗浄機は、食器類を洗浄する洗浄工程及び食器類を濯ぐ濯ぎ工程を所定の時間で行う標準コースと、標準コースより短い時間で洗浄工程及び濯ぎ工程を行う節約コースと、のうちいずれか一方のコースを実行する制御装置を備え、ユーザのコース選択に応じて標準コース又は節約コースを実行する。
【先行技術文献】
【特許文献】
【０００３】
【特許文献１】特開２００２−１０２１３７号公報
【発明の概要】
【発明が解決しようとする課題】
【０００４】
ところで、前述した従来の洗浄機の節約コースでは、洗浄工程及び濯ぎ工程の時間を短縮することで使用水量を節約しているが、更なる節水を実現する方法として濯ぎに使用した濯ぎ水を次の洗浄に再利用することが知られている。しかしながら、この方法を全てのコースに採用してしまうと、濯ぎ水の汚れが大きい場合などに洗浄機の洗浄能力の低下を招く可能性がある。
【０００５】
そこで、本発明の目的は、節水を目的としない通常洗浄コースと節水を目的とする節水洗浄コースとを有する洗浄機を提供することをとする。
【課題を解決するための手段】
【０００６】
本発明は、被洗浄物が収容されると共に被洗浄物の洗浄及び濯ぎが行われる洗浄室を備える洗浄機において、洗浄室内にタンクから洗浄水を供給することで被洗浄物の洗浄を行う洗浄工程と洗浄室内に濯ぎ水を供給することで被洗浄物の濯ぎを行う濯ぎ工程と洗浄室からタンク内に回収された濯ぎ水を排水する濯ぎ水排水工程とを行う通常洗浄コースと、洗浄工程及び濯ぎ工程を行うと共に洗浄室からタンク内に回収された濯ぎ水を次回の洗浄工程の洗浄水として用いる節水洗浄コースと、のうちいずれか一方のコースを実行する制御手段を備え、制御手段は、節水洗浄コースの次に通常洗浄コースを実行する場合において洗浄工程を行う前にタンク内の水を排水させる排水手段を有することを特徴とする。
【０００７】
本発明に係る洗浄機によれば、汚れの少ない被洗浄物の洗浄を繰り返す場合などに節水を目的とする節水洗浄コースを選択することで、濯ぎ工程で使用した濯ぎ水を次回の洗浄工程の洗浄水として再利用されるので、適切な洗浄を行いつつ効果的な節水を実現することができる。また、この節水洗浄コースでは濯ぎ水を排水しないので、その分コース終了までの時間短縮を図ることができる。一方、医療用器具などに対して清潔さを重視した洗浄を行いたい場合には、節水を目的としない通常洗浄コースを選択することで毎回新たな洗浄水による洗浄が行われるので、清潔さを重視した洗浄が実現できる。しかも、節水洗浄コースの次に通常洗浄コースを実行する場合には、洗浄工程の前にタンク内の濯ぎ水を排水することで、節水洗浄コースで使用済みの濯ぎ水が通常洗浄コースの洗浄に利用されることを避けることができるので、清潔さを重視した洗浄が妨げられる事態を回避することができる。従って、本発明によれば、節水を目的としない通常洗浄コースと節水を目的とする節水洗浄コースとを有し、これらのコースを適切に活用可能な洗浄機を提供することができる。
【０００８】
また、制御手段は、通常洗浄コースにおいて、洗剤を混ぜた洗浄水により被洗浄物の洗浄を行う前に、所定温度の洗浄水により被洗浄物の予備洗浄を行う予備洗浄手段を有することが好ましい。
【０００９】
この場合、予備洗浄によって所定の温度範囲以外の洗浄水では凝固して落ちにくくなる血液などの汚れを適切に洗い流すことができるので、洗浄機の洗浄効率を高めることができる。また、節水洗浄コースの次に通常洗浄コースを実行する場合には、タンク内の濯ぎ水が排水されるので、節水洗浄コースで使用済みの所定の温度範囲ではない濯ぎ水が予備洗浄に用いられて血液などの汚れが凝固することを避けることができる。このため、この洗浄機によれば、より確実に予備洗浄による洗浄効果を得ることが可能になる。
【発明の効果】
【００１０】
本発明によれば、通常洗浄コースと節水洗浄コースとを適切に活用できる。
【図面の簡単な説明】
【００１１】
【図１】本実施形態に係る洗浄機の内部構造を示す模式図である。
【図２】洗浄機を制御するマイクロコンピュータを示すブロック図である。
【図３】図２のオペレーションボードを示す図である。
【図４】洗浄機の動作を示すフロー図である。
【図５】通常洗浄コースにおける洗浄機の動作を示すフロー図である。
【図６】節水洗浄コースにおける洗浄機の動作を示すフロー図である。
【発明を実施するための形態】
【００１２】
以下、本発明の好適な実施形態について、図面を参照して詳細に説明する。
【００１３】
図１に示す洗浄機１は、医療用器具などの被洗浄物の洗浄や濯ぎを行う医療用洗浄機である。洗浄機１は筺状の洗浄機本体２を有しており、洗浄機本体２の内部には被洗浄物が収容される洗浄室３が形成されている。
【００１４】
洗浄室３は、洗浄機本体２の上側部分に形成されている。この洗浄室３内では、洗浄水の噴射による被洗浄物の洗浄及び濯ぎ水の噴射による被洗浄物の濯ぎが行われる。また、洗浄室３には、ユーザが被洗浄物を出し入れするための開閉ドア（図示せず）が設けられている。
【００１５】
洗浄機本体２の下側部分には、洗浄水や濯ぎ水を貯めるための洗浄タンク４が形成されている。洗浄室３で使用された洗浄水及び濯ぎ水は洗浄機本体２の下側に流れ込み、洗浄タンク４内に回収される。また、洗浄タンク４には、外部の水道設備５及び給湯器６から冷水や温水（約７０度）が供給される。洗浄タンク４に対する冷水の供給は冷水用バルブ７によって制御され、温水の供給は温水用バルブ８によって制御されている。冷水用バルブ７及び温水用バルブ８の制御により冷水と温水との供給割合を変えることで洗浄タンク４内の水温調節が行われる。冷水用バルブ７及び温水用バルブ８は、電気的に開閉が制御される電磁弁である。また、洗浄タンク４には、洗浄タンク４内の水温を検出するタンク水温センサ９が設けられている。
【００１６】
また、洗浄タンク４は、側方に突出するフロート室１０を有している。フロート室１０と洗浄タンク４とは、細い通路部１０ａを介して内部が連通しており、フロート室１０の水位は洗浄タンク４の水位となどしい。フロート室１０内には、洗浄タンク４の満水状態を検出するためのフロートスイッチ１１が備えられている。フロートスイッチ１１は、水位に応じて上下に移動するフロートとタンク満水状態の水位の高さに配置された検知器とから構成されている。このフロートスイッチ１１では、フロートがタンク満水状態の水位の高さまで移動したことを検知器が検知することで洗浄タンク４の満水状態を検出する。洗浄タンク４は、満水状態を超えて供給された水が排出されるオーバーフロー管１２を備えている。
【００１７】
洗浄タンク４の下方には、洗浄タンク４内の洗浄水及び濯ぎ水を圧送するための洗浄ポンプ１３が配置されている。洗浄ポンプ１３の吸込口は、吸込管１４を通じて洗浄タンク４の底部４ａと接続されている。また、洗浄ポンプ１３の排出口は、洗浄室３内の下側噴射ノズル部１５及び上側噴射ノズル部１７に接続されている。洗浄ポンプ１３の排出口と上側噴射ノズル部１７とは、洗浄機本体２の外側に配設された配管１６を通じて接続されている。
【００１８】
洗浄ポンプ１３は、吸込管１４を通じて洗浄タンク４内の洗浄水又は濯ぎ水を吸い込み、下側噴射ノズル部１５及び上側噴射ノズル部１７に向けて圧送する。洗浄ポンプ１３によって圧送された水は、下側噴射ノズル部１５及び上側噴射ノズル部１７から洗浄室３内の被洗浄物に噴射され、被洗浄物の洗浄や濯ぎが行われる。
【００１９】
また、洗浄タンク４の底部４ａには、洗浄タンク４内の水を排水するための排水管１８が設けられている。排水管１８の途中には、洗浄タンク４内からの排水を制御する排水ポンプ１９が備えられている。この排水ポンプ１９の駆動により洗浄タンク４内の洗浄水又は濯ぎ水が排水管１８に吸引され、外部への排水が行われる。
【００２０】
図２に示されるように、洗浄機１は、洗浄機１の統括的な制御を行うマイクロコンピュータ（以下、「マイコン」という）２１を有している。マイコン２１は、特許請求の範囲に記載の制御手段、排水手段、及び予備洗浄手段として機能する。マイコン２１は、冷水用バルブ７、温水用バルブ８、洗浄ポンプ１３、排水ポンプ１９、及び洗剤供給装置２２と電気的に接続されており、これらの機器の制御を行う。洗剤供給装置２２は、洗浄タンク４内に洗剤を供給する装置である。洗剤供給装置２２は、マイコン２１の指令に応じて洗浄タンク４内に貯留された洗浄水に洗剤を投入する。
【００２１】
また、マイコン２１は、タンク水温センサ９、フロートスイッチ１１、ドアスイッチ２３、及びオペレーションボード２４と電気的に接続されている。ドアスイッチ２３は、洗浄室３に設けられた開閉ドアの開閉状態を検出するスイッチである。ドアスイッチ２３は、例えば洗浄開始時に洗浄室３が開閉ドアの閉められた洗浄可能な状態か否かを判定するために用いられる。
【００２２】
図３に示すオペレーションボード２４は、ユーザが洗浄機１を操作するための操作部である。このオペレーションボード２４には、洗浄機１の運転開始又は運転停止を行うための運転ボタン２５、洗浄機１の洗浄コースを切り替えるためのコース切り替えボタン２６、現在の洗浄コースを表示するコース表示部２７、洗浄コースのスタート又は一時停止を行うためのスタートボタン２８が設けられている。更に、オペレーションボード２４には、ユーザに現在の状態を知らせるための各種ランプ、運転中ランプ２９、洗浄中ランプ３０、すすぎ中ランプ３１、及び洗浄完了ランプ３２が設けられている。また、洗浄機１には、オペレーションボード２４とは別に洗浄機１の電源ＯＮ，電源ＯＦＦを切り替える電源ボタン（図示せず）が設けられている。
【００２３】
次に、上述した洗浄機１の動作について図面を参照して説明する。この洗浄機１は、洗浄コースとして節水を目的としない通常洗浄コースＣ１と節水を目的とする節水洗浄コースＣ２との二つを選択実行可能に構成されている。通常洗浄コースＣ１と節水洗浄コースＣ２とは二つの点で主に異なっている。一つ目は、通常洗浄コースＣ１では被洗浄物の濯ぎに使用した水を毎回排水するのに対し、節水洗浄コースＣ２では被洗浄物の濯ぎに使用した濯ぎ水を次回の洗浄に用いる点である。二つ目は、洗剤を混ぜた洗浄水により被洗浄物の洗浄を行う本洗浄工程の前に、所定温度に調整した洗浄水のみの洗浄である予備洗浄工程を通常洗浄コースＣ１のみが有する点である。
【００２４】
図４に示されるように、本実施形態に係る洗浄機１では、ユーザが電源ボタンをＯＮにすると、マイコン２１において初期排水タイマのカウントがスタートする（ステップＳ１）。また、マイコン２１は、前回のコース情報として通常洗浄コースＣ１を記憶すると共に、オペレーションボード２４のコース表示部２７にＣ１の表示を行う（図３参照）。
【００２５】
マイコン２１の初期排水タイマは３０秒をカウントする。マイコン２１は、初期排水タイマのスタートに応じて排水ポンプ１９を駆動させ、洗浄タンク４の排水を開始する。マイコン２１は、初期排水タイマのカウント終了に応じて排水ポンプ１９を停止し、洗浄タンク４の排水を止める。
【００２６】
ステップＳ２において、ユーザにより運転ボタン２５がＯＮにされる。なお、ユーザによる運転ボタン２５の操作は、初期排水タイマのカウント終了前であっても可能であり、カウント終了前に運転ボタン２５の操作が行われた場合には、洗浄タンク４の排水中の状態で次のステップに移行する。
【００２７】
ステップＳ３において、マイコン２１のオートＯＦＦタイマのカウントがスタートする。オートＯＦＦタイマは、ユーザによる操作が所定の時間行われなかった場合に洗浄機１を自動で運転停止状態にするためのタイマである。オートＯＦＦタイマは、所定の時間として５分をカウントする。
【００２８】
ステップＳ４において、マイコン２１は、オートＯＦＦタイマのカウントが終了したか否かを判定する。マイコン２１は、オートＯＦＦタイマのカウントが終了したと判定した場合、運転ボタン２５をＯＦＦにして運転停止状態になる。その後、マイコン２１は、ステップＳ２に戻り、ユーザが運転ボタン２５をＯＮにするまで待機する。
【００２９】
一方、マイコン２１は、オートＯＦＦタイマのカウントが終了していないと判定した場合、ユーザによりスタートボタン２８がＯＮにされたか否かを判定する（ステップＳ５）。マイコン２１は、ユーザによりスタートボタン２８がＯＮにされていないと判定した場合、ステップＳ４に戻り、再びオートＯＦＦタイマのカウントが終了したか否かを判定する。
【００３０】
一方、マイコン２１は、ユーザによりスタートボタン２８がＯＮにされたと判定した場合、初期排水タイマのカウントが終了しているか否かを判定する（ステップＳ６）。マイコン２１は、初期排水タイマのカウントが終了していないと判定した場合、初期排水タイマのカウントが終了するまで当該判定を繰り返す。マイコン２１は、初期排水タイマのカウントが終了したと判定した場合、選択されているコースが通常洗浄コースＣ１であるか否かを判定する（ステップＳ７）。マイコン２１は、選択されているコースが通常洗浄コースＣ１であると判定した場合には通常洗浄コースＣ１を実行する（ステップＳ８）。マイコン２１は、選択されているコースが通常洗浄コースＣ１ではないと判定した場合には節水洗浄コースＣ２を実行する（ステップＳ９）。
【００３１】
［通常洗浄コースＣ１］
図５に示されるように、通常洗浄コースＣ１では、マイコン２１は前回のコース情報から前回のコースが節水洗浄コースＣ２であるか否かを判定する（ステップＳ１１）。マイコン２１は、前回のコースが節水洗浄コースＣ２ではないと判定した場合、ステップＳ１３に移行する。
【００３２】
マイコン２１は、前回のコースが節水洗浄コースＣ２であると判定した場合、排水ポンプ１９を駆動させて洗浄タンク４の排水を行う排水工程を実施する（ステップＳ１２）。この排水工程はタイマによって管理される。すなわち、排水工程の開始と同時にタイマのカウントがスタートされ、カウントの終了（例えば３０秒）に応じて排水を停止する。排水工程の終了後、ステップＳ１３に移行する。マイコン２１は、この排水工程において特許請求の範囲に記載の排水手段として機能する。
【００３３】
ステップＳ１３において、マイコン２１は、洗浄タンク４内に水道設備５の冷水と給湯器６の温水とを供給する給水工程を実施する。このとき、マイコン２１は、冷水用バルブ７及び温水用バルブ８により冷水と温水との供給割合を制御して、洗浄タンク４内の水温が所定の設定温度となるように調節する。設定温度は、ユーザによって設定される温度であり、例えば血液などの付着した医療用器具の洗浄を行う場合には、血液が凝固して落ちにくくなることを避けるために５０度前後に予め設定される。マイコン２１は、フロートスイッチ１１により洗浄タンク４の満水状態を検出した場合、給水工程を終了する。
【００３４】
続いて、マイコン２１は、洗浄タンク４内の水を洗浄水として洗浄室３に供給することで被洗浄物を予備洗浄する予備洗浄工程を実施する（ステップＳ１４）。具体的には、マイコン２１は、洗浄ポンプ１３を駆動させて、洗浄タンク４内の洗浄水を下側噴射ノズル部１５及び上側噴射ノズル部１７に圧送し、下側噴射ノズル部１５及び上側噴射ノズル部１７から被洗浄物に噴射することで予備洗浄を行う。予備洗浄工程で用いられた洗浄水は、洗浄室３の下方に位置する洗浄タンク４に流れ込んで回収される。マイコン２１は、この予備洗浄工程において特許請求の範囲に記載の予備洗浄手段として機能する。
【００３５】
その後、マイコン２１は、洗浄タンク４に回収された使用済みの洗浄水を排水する洗浄水排水工程を実施する（ステップＳ１５）。この洗浄水排水工程は、上述した排水工程と同様にタイマによって管理される。
【００３６】
洗浄水排水工程が終了すると、マイコン２１は、給湯器６の温水を洗浄タンク４に供給する温水供給工程を実施する（ステップＳ１６）。マイコン２１は、フロートスイッチ１１により洗浄タンク４が満水になったことを検出した場合、温水供給工程を終了する。温水供給工程の終了後、マイコン２１は、洗剤供給装置２２により洗浄タンク４内の洗浄水に洗剤を投入する洗剤投入工程を実施する（ステップＳ１７）。
【００３７】
その後、マイコン２１は、洗浄タンク４内の洗剤を混ぜた洗浄水を洗浄室３に供給することで被洗浄物を洗浄する本洗浄工程を実施する（ステップＳ１８）。本洗浄工程では、予備洗浄工程と同様に洗剤の混ざった洗浄水が被洗浄物に噴射されることで、被洗浄物の洗浄が行われる。本洗浄工程で用いられた洗浄水は洗浄タンク４内に流れ込んで回収される。
【００３８】
その後、マイコン２１は、洗浄タンク４に回収された使用済みの洗浄水を排水する洗浄水排水工程を実施する（ステップＳ１９）。続いて、マイコン２１は、給湯器６から濯ぎ水として用いる温水を洗浄タンク４に供給する温水供給工程を実施する（ステップＳ２０）。
【００３９】
温水供給工程の終了後、マイコン２１は、洗浄タンク４から濯ぎ水を洗浄室３に供給することで被洗浄物を濯ぐ濯ぎ工程を実施する（ステップＳ２１）。具体的には、マイコン２１は、洗浄ポンプ１３の駆動によって洗浄タンク４内の濯ぎ水を下側噴射ノズル部１５及び上側噴射ノズル部１７に圧送し、下側噴射ノズル部１５及び上側噴射ノズル部１７から濯ぎ水を被洗浄物に噴射することで濯ぎを行う。濯ぎ工程で用いられた洗浄水は洗浄タンク４内に流れ込んで回収される。
【００４０】
濯ぎ工程の終了後、マイコン２１は、洗浄タンク４に回収された使用済みの濯ぎ水を排水する濯ぎ水排水工程を実施する（ステップＳ２２）。この濯ぎ水排水工程は、上述した排水工程と同様にタイマによって管理される。濯ぎ水排水工程の終了後、マイコン２１は、前回のコース情報を通常洗浄コースＣ１に更新する（ステップＳ２３）。その後、ステップＳ３に戻る。
【００４１】
［節水洗浄コースＣ２］
図６に示されるように、節水洗浄コースＣ２では、マイコン２１は洗浄タンク４に給湯器６からの温水のみを供給する温水供給工程を実施する（ステップＳ３１）。マイコン２１は、フロートスイッチ１１により洗浄タンク４の満水状態を検出した場合、温水供給工程を終了する。温水供給工程の終了後、マイコン２１は、洗剤供給装置２２により洗浄タンク４内の洗浄水に洗剤を投入する洗剤投入工程を実施する（ステップＳ３２）。
【００４２】
その後、マイコン２１は、洗剤を混ぜた洗浄水を洗浄室３に供給することで被洗浄物を洗浄する本洗浄工程を実施する（ステップＳ３３）。具体的には、マイコン２１は、洗浄ポンプ１３を駆動させて、洗浄タンク４内の洗剤の混ざった洗浄水を下側噴射ノズル部１５及び上側噴射ノズル部１７に圧送し、下側噴射ノズル部１５及び上側噴射ノズル部１７から被洗浄物に噴射することで洗浄を行う。本洗浄工程で用いられた洗浄水は洗浄タンク４に流れ込んで回収される。
【００４３】
その後、マイコン２１は、洗浄タンク４に回収された使用済みの洗浄水を排水する洗浄水排水工程を実施する（ステップＳ３４）。続いて、マイコン２１は、給湯器６から濯ぎ水として用いる温水を洗浄タンク４に供給する温水供給工程を実施する（ステップＳ３５）。
【００４４】
温水供給工程の終了後、マイコン２１は、洗浄タンク４から濯ぎ水を洗浄室３に供給することで被洗浄物を濯ぐ濯ぎ工程を実施する（ステップＳ３６）。具体的には、マイコン２１は、洗浄ポンプ１３の駆動によって洗浄タンク４内の濯ぎ水を下側噴射ノズル部１５及び上側噴射ノズル部１７に圧送し、下側噴射ノズル部１５及び上側噴射ノズル部１７から濯ぎ水を被洗浄物に噴射することで濯ぎを行う。濯ぎ工程で用いられた洗浄水は洗浄タンク４内に流れ込んで回収される。濯ぎ工程の終了後、マイコン２１は、前回のコース情報を通常洗浄コースＣ１に更新する（ステップＳ３７）。その後、洗浄タンク４内の濯ぎ水を排水せずにステップＳ３に戻る。
【００４５】
以上説明した本実施形態に係る洗浄機１によれば、汚れの少ない被洗浄物の洗浄を繰り返す場合などに節水洗浄コースＣ２を選択することで、濯ぎ工程で使用した濯ぎ水を次回の洗浄工程の洗浄水として再利用されるので、適切に洗浄を行いつつ効果的な節水を実現することができる。また、この節水洗浄コースＣ２では濯ぎ水を排水しないので、その分コース終了までの時間短縮を図ることができる。一方、人体に触れる医療用器具などに対して清潔さを重視した洗浄を行いたい場合には、通常洗浄コースＣ１を選択することで毎回新たな洗浄水による洗浄が行われるので、清潔さを重視した洗浄が実現できる。しかも、節水洗浄コースＣ２の次に通常洗浄コースＣ１を実行する場合には、予備洗浄工程の前にタンク内の濯ぎ水を排水することで、節水洗浄コースＣ２で使用済みの濯ぎ水が通常洗浄コースＣ１の洗浄に利用されることを避けることができるので、清潔さを重視した洗浄が妨げられる事態を回避することができる。従って、この洗浄機１によれば、節水を目的としない通常洗浄コースＣ１と節水を目的とする節水洗浄コースＣ２とを有し、これらのコースを適切に活用することができる。
【００４６】
また、この洗浄機１では、通常洗浄コースＣ１において所定温度の洗浄水により被洗浄物の予備洗浄を行う予備洗浄工程が行われるので、予備洗浄によって所定の温度範囲以外の洗浄水では凝固して落ちにくくなる血液などの汚れを適切に洗い流すことができ、洗浄機１の洗浄効率を高めることができる。また、節水洗浄コースＣ２の次に通常洗浄コースＣ１を実行する場合には、洗浄タンク４内の濯ぎ水が排水されるので、使用済みで温度調整の困難な濯ぎ水が予備洗浄に用いられることで血液などの汚れが凝固する事態を避けることができる。このため、この洗浄機１によれば、より確実に予備洗浄による洗浄効果を得ることが可能になる。
【００４７】
本発明は、上述した実施形態に限定されるものではない。例えば、マイコン２１は、洗浄コースとして通常洗浄コースＣ１と節水洗浄コースＣ２の２つを有する場合に限られず、他にも様々なコースを有していても良い。また、通常洗浄コースや節水洗浄コースの内容についても上述したものに限られず、例えば通常洗浄コースに予備洗浄工程が含まれない態様であっても良い。また、洗浄機の構造は上述したものに限られず、被洗浄物も医療用器具以外の様々なものを対象とすることができる。
【符号の説明】
【００４８】
１…洗浄機  ２…洗浄機本体  ３…洗浄室  ４…洗浄タンク  ５…水道設備  ６…給湯器  ７…冷水用バルブ  ８…温水用バルブ  ９…タンク水温センサ  １０…フロート室  １１…フロートスイッチ  １３…洗浄ポンプ  １５…下側噴射ノズル部  １７…上側噴射ノズル部  １８…排水管  １９…排水ポンプ  ２１…マイクロコンピュータ（制御手段、排水手段、予備洗浄手段）  ２４…オペレーションボード
【図１】
2011177423.tif 000003
【図２】
2011177423.tif 000004
【図３】
2011177423.tif 000005
【図４】
2011177423.tif 000006
【図５】
2011177423.tif 000007
【図６】
2011177423.tif 000008